(57)【特許請求の範囲】
【請求項１】
カード状媒体が搬送される搬送路と、前記媒体に文字情報を印字する印字ヘッドと、前記媒体の文字情報を消去する消去ヘッドと、前記媒体に対して前記印字ヘッドを押圧又は待避させる印字ヘッド駆動装置と、前記媒体に対して前記消去ヘッドを押圧又は待避させる消去ヘッド駆動装置と、を有する情報書き込み装置であって、
前記印字ヘッド及び前記印字ベッド駆動装置を含む印字機構と、前記消去ヘッド及び前記消去ヘッド駆動装置を含む消去機構とを、前記搬送路の搬送方向前後における中心線に対して対称に配置し、
前記印字機構は枠体を有し、該枠体は、一端が回動可能に取り付けられ、他端が前記中心線側で前記印字ヘッド駆動装置に取り付けられ、その間で前記印字ヘッドを保持し、
前記消去機構も枠体を有し、該枠体は、一端が回動可能に取り付けられ、他端が前記中心線側で前記消去ヘッド駆動装置に取り付けられ、その間で前記消去ヘッドを保持することを特徴とする情報書き込み装置。
【請求項２】
前記印字ヘッドは、前記カード状媒体の幅方向に揺動するように前記印字機構が有する枠体にジンバル構造で保持され、
前記消去ヘッドは、前記カード状媒体の幅方向に揺動するように前記消去機構が有する枠体にジンバル構造で保持されていることを特徴とする請求項１に記載の情報書き込み装置。
【請求項３】
前記印字機構と前記消去機構のうち、少なくとも前記印字ヘッドを前記搬送路に進出後退可能に支持する枠体と前記消去ヘッドを前記搬送路に進出後退可能に支持する枠体とが共通の部材であることを特徴とする請求項１又は２に記載の情報書き込み装置。
【請求項４】
前記搬送路には媒体位置検出センサが設けられ、当該媒体位置検出センサは、前記媒体が前記印字ヘッド位置又は前記消去ヘッド位置に搬送されたときに前記印字ヘッド又は前記消去ヘッドが当該媒体に押圧するように、前記印字ヘッド駆動装置及び／又は前記消去ヘッド駆動装置を動作させる信号を送るように設定されていることを特徴とする請求項１〜３に記載の情報書き込み装置。
【請求項５】
前記印字機構及び前記消去機構は、前記媒体に対して付勢力を伴う押圧手段を備えることを特徴とする請求項１〜４のいずれかに記載の情報書き込み装置。
【請求項６】
前記印字機構及び前記消去機構を有するヘッドユニットと、前記搬送路を含む搬送ユニットとが対向配置されており、前記ヘッドユニットの前記媒体搬送方向の一端が回動可能に片持ち固定され、該一端は抜き取り可能な支点軸で取り付けられていることを特徴とする請求項１〜５のいずれかに記載の情報書き込み装置。
【請求項７】
カード状記録媒体を発行する媒体発行装置であって、
装置奥側に配置され、前記媒体を積層して収納するとともに、積層された前記媒体のうち最端部位の媒体を１枚毎に繰り出し可能な媒体繰り出し部を有するホッパーと、
装置手前側に前記媒体繰り出し部と対角位置に配置され、前記媒体を装置外へ排出する媒体排出口と、
前記ホッパーと前記媒体排出口の間に傾斜して配置される、請求項１〜６のいずれかに記載の情報書き込み装置とを備えることを特徴とする媒体発行装置。
【発明の詳細な説明】
【技術分野】
【０００１】
本発明は、情報書き込み装置及び媒体発行装置に関し、さらに詳しくは、印字ヘッドと消去ヘッドを有し、それらを独立に駆動でき、且つメンテナンスしやすいようにそれらの着脱を可能にした情報書き込み装置及び当該装置を備えた媒体発行装置に関する。
【背景技術】
【０００２】
近年、磁気カードやＩＣカード等の記録媒体が多方面で広く用いられており、商品やサービスの購入代金支払いの際に利用するための一定金額の価値を有するカード型の有価証券であるプリペイドカードが普及している。また、このような記録媒体には、繰り返し貨幣価値を追加（チャージ）して利用できるカードもある。その例としては、鉄道やバスなどの公共交通機関を利用する際に利用できる運賃、乗車回数や利用期間を磁気カードやＩＣカードなどに記録した各種の乗車カードがある。こうした中、各種の記録媒体を新規に発行する装置や、新しい媒体に更新することができる装置が検討されている。
【０００３】
例えば下記特許文献１には、多種のカードを、カード毎の処理を行なうユニットに振り分けて搬送する手前の共通搬送路中に、搬送路切替ガイドを回動可能に設け、その搬送路切替ガイドの周囲に、前記各ユニットに連続するユニットガイドを放射状に配置した搬送路切替部を設け、搬送路切替部に一時保留したカードを前記各ユニットガイドに選択的に接続するようにしたカード発行装置が提案されている。
【０００４】
前記のカード発行装置によるカードの新規発行は、積層されたリライタブルカード（書き換え可能カードのこと）をホッパーより１枚毎出し、データ印字し、一旦搬送路切替部で保留し、さらに、カードの種類が磁気カードであるかＩＣカードであるか、即ち、いずれのデータ処理をするかにより、それぞれの書き込み機能部に機能別に振り分け処理し、その書き込み機能部で書き込み処理した後に受け取りゲートまで搬送し、新規カードを発行する。また、カードの更新発行においては、前記受け取りゲートと同じカード挿入ゲートに投入された磁気カード又はＩＣカードを、カードの種類に対応した書き込み機能部に振り分け搬送し、その書き込み機能部で所定のデータを読み書きし、その後リライトユニット内の印字ヘッドと消去ヘッドにより処理されて、再度受け取りゲートまで搬送して更新発行する。
【特許文献１】特開２００５−２４２４３５号公報
【発明の開示】
【発明が解決しようとする課題】
【０００５】
しかしながら、前記特許文献１に記載のような従来のカード処理装置には以下のような不具合がある。例えば、リライタブルカードに印字及び消去を行なう印字ヘッドと消去ヘッドのカードへの押圧が同一の駆動源で行われていたため、搬送中のカードに対する各ヘッドの押圧のタイミングをとることが難しく、カード全面への印字や消去が難しいという難点があった。また、印字ヘッドと消去ヘッドの押圧位置は固定されているので、厚さや形状の異なるカードや、反り気味のカード等に対して、均一に適切な印字や消去を行なうことが難しいという問題があった。また、印字ヘッドと消去ヘッドが、搬送路に一体化して設けられていたために、リライトユニット内でのカード詰まりが発生した場合のメンテナンスや、各ヘッドのクリーニング等の作業に手間がかかるという難点があった。
【０００６】
本発明は、上記課題を解決するためになされたものであって、その目的は、印字ヘッドと消去ヘッドを独立に駆動でき、且つメンテナンスし易いようにそれらの着脱を可能にした情報書き込み装置、及び当該装置を備えた媒体発行装置を提供することにある。
【課題を解決するための手段】
【０００７】
上記課題を解決するための本発明の情報書き込み装置は、カード状媒体が搬送される搬送路と、前記媒体に文字情報を印字する印字ヘッドと、前記媒体の文字情報を消去する消去ヘッドと、前記媒体に対して前記印字ヘッドを押圧又は待避させる印字ヘッド駆動装置と、前記媒体に対して前記消去ヘッドを押圧又は待避させる消去ヘッド駆動装置と、を有する情報書き込み装置であって、前記印字ヘッド及び前記印字ヘッド駆動装置を含む印字機構と、前記消去ヘッド及び前記消去ヘッド駆動装置を含む消去機構とを、前記搬送路の搬送方向前後における中心線に対して対称に配置し、前記印字機構は枠体を有し、該枠体は、一端が回動可能に取り付けられ、他端が前記中心線側で前記印字ヘッド駆動装置に取り付けられ、その間で前記印字ヘッドを保持するように設けられ、前記消去機構も枠体を有し、該枠体は、一端が回動可能に取り付けられ、他端が前記中心線側で前記消去ヘッド駆動装置に取り付けられ、その間で前記消去ヘッドを保持するように設けられていることを特徴とする。
【０００８】
この発明によれば、印字ヘッドを押圧又は待避させる印字ヘッド駆動装置と、消去ヘッドを押圧又は待避させる消去ヘッド駆動装置とを有するので、各駆動装置を単独で動作させることができ、その結果、搬送中のカードに対する各ヘッドの押圧のタイミングをとることが容易で、カード全面への印字や消去を容易に行なうことができる。また、各駆動装置を単独で動作させることができるので、印字ヘッドと消去ヘッドの押圧位置を独立して制御可能であり、その結果、厚さや形状の異なるカードや反り気味のカード等に対して均一な印字や消去を行なうことができる。また、印字機構と消去機構とを搬送路の搬送方向前後における中心線に対して対称に配置したので、それぞれについての独立制御が可能となる一方で、対称的な動作で共通の制御が可能であり、制御の容易化を実現できる。
【０００９】
本発明の情報書き込み装置において、前記印字ヘッドは、前記カード状媒体の幅方向に揺動するように前記印字機構が有する枠体にジンバル構造で保持され、前記消去ヘッドは、前記カード状媒体の幅方向に揺動するように前記消去機構が有する枠体にジンバル構造で保持されていることを特徴とする。
【００１０】
本発明の情報書き込み装置において、前記印字機構と前記消去機構のうち、少なくとも前記印字ヘッドを前記搬送路に進出後退可能に支持する枠体と前記消去ヘッドを前記搬送路に進出後退可能に支持する枠体とが共通の部材であることを特徴とする。この発明によれば、部品の共通化によるコスト削減と設計の簡易化を達成できる。
【００１１】
本発明の情報書き込み装置において、前記搬送路には媒体位置検出センサが設けられ、当該媒体位置検出センサは、前記媒体が前記印字ヘッド位置又は前記消去ヘッド位置に搬送されたときに前記印字ヘッド又は前記消去ヘッドが当該媒体に押圧するように、前記印字ヘッド駆動装置及び／又は前記消去ヘッド駆動装置を動作させる信号を送るためのセンサであることが好ましい。
【００１２】
この発明によれば、搬送路に設けられた媒体位置検出センサは、媒体が印字ヘッド位置又は消去ヘッド位置に搬送されたときに印字ヘッド又は消去ヘッドが媒体に押圧するように、印字ヘッド駆動装置及び／又は消去ヘッド駆動装置を動作させる信号を送るので、そのセンサ信号に基づいて各駆動装置を単独で動作させることができ、その結果、搬送中のカードに対する各ヘッドの押圧のタイミングをとることが容易で、カード全面への印字や消去を容易に行なうことができる。
【００１３】
本発明の情報書き込み装置において、前記印字機構及び前記消去機構は、前記媒体に対して付勢力を伴う押圧手段を備えることが好ましい。
【００１４】
この発明によれば、印字機構及び消去機構が媒体に対して付勢力を伴う押圧手段を備えるので、厚さや形状の異なるカードや反り気味のカード等に対して柔軟に対応でき、均一な印字や消去を行なうことができる。
【００１５】
本発明の情報書き込み装置において、前記印字機構及び前記消去機構を有するヘッドユニットと、前記搬送路を含む搬送ユニットとが対向配置されており、前記ヘッドユニットの前記媒体搬送方向の一端が回動可能に片持ち固定され、該一端は抜き取り可能な支点軸で取り付けられていることが好ましい。
【００１６】
この発明によれば、各ヘッドや各駆動装置を有するヘッドユニットが、搬送路を含む搬送ユニットと別体で設けられ、しかもヘッドユニットの媒体搬送方向の一端が回動可能に片持ち固定されているので、搬送路内での媒体詰まりが発生した場合のメンテナンスや、各ヘッドのクリーニング等の作業が容易となる。
【００１７】
上記課題を解決するための本発明の媒体処理装置は、カード状記録媒体を発行する媒体発行装置であって、装置奥側に配置され、前記媒体を積層して収納するとともに、積層された前記媒体のうち最端部位の媒体を１枚毎に繰り出し可能な媒体繰り出し部を有するホッパーと、装置手前側に前記媒体繰り出し部と対角位置に配置され、前記媒体を装置外へ排出する媒体排出口と、前記ホッパーと前記媒体排出口の間に傾斜して配置される、上記本発明の情報書き込み装置とを備えることを特徴とする。
【００１８】
この発明によれば、印字ヘッドと消去ヘッドとをそれらを独立に駆動でき且つ着脱可能にした情報書き込み装置がカード状記録媒体を発行する媒体発行装置の構成部材として設けられているので、カード全面への印字や消去を容易にし、且つメンテナンス等の作業が容易となる。また、角位置に配置されたホッパーと媒体排出口との間に、上記情報書き込み装置が傾斜して配置されているので、磁気カードやＩＣカード等の新規発行や更新発行、さらには書き換え発行を行なうことができる、省スペース対応の媒体発行装置とすることができる。
【発明の効果】
【００１９】
本発明によれば、印字ヘッドと消去ヘッドを独立に駆動でき、且つメンテナンスし易いようにそれらの着脱を可能にした情報書き込み装置を提供することができる。また、印字機構と消去機構とを搬送路の搬送方向前後における中心線に対して対称に配置したので、それぞれについての独立制御が可能となる一方で、対称的な動作で共通の制御が可能であり、制御の容易化を実現できる。
【００２０】
また、本発明の媒体発行装置によれば、カード全面への印字や消去を容易にし、且つメンテナンス等の作業が容易であるとともに、磁気カードやＩＣカード等の新規発行や更新発行、さらには書き換え発行を行なうことができる、省スペース対応の媒体発行装置とすることができる。
【発明を実施するための最良の形態】
【００２１】
以下、本発明の情報書き込み装置及び媒体発行装置について図面を参照しつつ説明する。本発明は、その技術的特徴を有する範囲において、以下の説明及び図面に限定されるものではない。
【００２２】
以下においては、本発明の情報書き込み装置が好ましく装着される媒体発行装置の全体構成について説明する中で、情報書き込み装置の詳細について詳しく説明する。なお、情報書き込み装置の装着対象が以下に説明する媒体発行装置に限定されないことは言うまでもない。
【００２３】
（媒体発行装置）
図１は、本発明の情報書き込み装置が好ましく装着される媒体発行装置の実施の形態を示す透視側面図である。図１に示す媒体発行装置１は、カード状記録媒体（単に「媒体２」ということがある）を発行する装置であって、装置奥側に配置され、媒体２を積層して収納するカセット式媒体収納容器２５及び積層された媒体２のうち最低位の媒体２ａを１枚毎に繰り出し可能な媒体繰り出し部２１を有するホッパー２０と、媒体２の積層方向に対して鋭角をなす方向（図１では右斜め上）へ向けて、媒体繰り出し部２１から繰り出された媒体２を搬送する搬送路３０を有する情報書き込み装置７０と、搬送路３０の媒体繰り出し部２１とは反対側の一端である手前側に配置されて、媒体２を排出する媒体排出口１０と、を少なくとも備えている。
【００２４】
図１に示す媒体発行装置１は、媒体排出口１０がホッパー２０の媒体繰り出し部２１よりも媒体積層方向の上側の対角位置に配置されている具体的な実施の形態を示したものであって、ホッパー２０が、カセット式媒体収納容器２５内に積層された媒体２のうち最低位の媒体２ａを１枚毎に繰り出し可能な媒体繰り出し部２１を有し、媒体排出口１０が、媒体繰り出し部２１よりも媒体積層方向の上側に対角配置されている。こうした対角配置により、ホッパー２０の高さ方向にスペースが与えられるので、媒体収納量の多いカセット式媒体収納容器２５を用いることができる。
【００２５】
さらに詳しくは、図１に示す媒体発行装置１は、媒体排出口１０と情報書き込み装置７０との間に設けられ、媒体２を回動させて媒体搬送方向を切り替える第１の媒体回動部８０と、媒体繰り出し部２１と情報書き込み装置７０との間に設けられ、媒体２を回動させて媒体搬送方向を切り替える第２の媒体回動部６０とを備えている。また、媒体排出口１０の内側に設けられ、所定情報の読み取り、書込み又は書換えのために媒体２に対して非接触の通信処理を行なう非接触通信部１００を備えている。また、図１に示すように、第１の媒体回動部８０から媒体２を受け取って磁気データの読み取り又は書込み行なう磁気媒体リーダライタ１２０が第１の媒体回動部８０の下に設けられていてもよいし、第２の媒体回動部６０の上方にクリーニング媒体保持部１１０を備えていてもよい。なお、第１の媒体回動部８０と第２の媒体回動部６０は必須の構成ではなく、その代わりに、単純構造である曲がった搬送路を採用してもよい。こうした配置構成は、装置１全体の長さ（図１を平面視した場合の左右の長さＬ）を短縮して装置全体の大きさを小さくすることができ、さらには、装置外形を作製し易い矩形状とすることができる。
【００２６】
以下、媒体発行装置１の構成等について簡単に説明する。図中、「Ｓ」はセンサを表している。
【００２７】
ホッパー２０は、カセット式媒体収納容器２５と媒体送り出し機構２２とより構成され、その媒体送り出し機構２２は媒体繰り出し部２１を有している。
【００２８】
カセット式媒体収納容器２５は、媒体２を積層収納する容器で、アルミニウム合金製又はステンレス鋼製の枠体であり、媒体発行装置１の一部としてホッパー２０から着脱可能に設けられている。このカセット式媒体収納容器２５内には、接触式又は非接触式のＩＣカードや磁気カード等の媒体２が収納される。その媒体２は、例えば図１においては、後述する媒体排出口１０と略等しい高さの最上位部２７よりも下側に積層して収納されている。なお、そうした媒体２は、利用期限や貨幣価値等の各種情報が完全に記録されていない発行前ものである。また、エンボスの有無は問わない。
【００２９】
カセット式媒体収納容器２５の下側には、ゲート部２３が設けられており、このゲート部２３から、媒体送り出し機構２２によって最低位の媒体２ａが一枚毎送り出される。このゲート部２３は、最低位の媒体２ａを一枚のみ送り出すことができる所定の隙間を設けるように、カセット式媒体収納容器２５の底板とカセット式媒体収納容器２５の側板をなす基準板との間に設けられている。
【００３０】
また、カセット式媒体収納容器２５には、そのカセット式媒体収納容器２５をホッパー２０から脱着したときにゲート部２３を塞ぐためのシャッタ２４が設けられていている。また、カセット式媒体収納容器２５内に収容される媒体２を上方から押し下げるように作用するおもり２６が設けられていることが好ましい。シャッタ２４は、媒体２を入れたカセット式媒体収納容器２５を媒体発行装置１に装着するとき、又はホッパー２０から取り外して持ち運ぶときに、ゲート部２３から媒体２が落下等するのを防ぐように作用する。また、おもり２６は、スライド機構を備えたものでもよいし、チェーン等でカセット式媒体収納容器２５に取り付けられていてもよく、何れの場合もおもり２６の紛失防止に効果的である。
【００３１】
媒体送り出し機構２２は、ホッパー２０の底部にカセット式媒体収納容器２５と対向して配置され、カセット式媒体収納容器２５内に収容される複数の媒体２のうち最低位に載置された媒体２ａをカセット式媒体収納容器２５（即ちホッパー２０）の外に送り出す装置である。この媒体送り出し機構２２は、カセット式媒体収納容器２５の最低位に載置されたカード状媒体２ａをゲート部２３を経由してカセット式媒体収納容器２５（即ちホッパー２０）の外に押し出す押出部材２２１を備えている。この押出部材２２１には、カード状媒体２ａの後端縁に係合してその媒体２ａを押し出す爪部が形成されていることが好ましい。
【００３２】
押出部材２２１は、例えば２つのスプロケット２２３，２２３間に掛け渡されたチェーン２２２に取り付けられている。なお、図１においては、２つのスプロケット２２３，２２３が用いられているが、３つ以上のスプロケットで構成されたものであっても構わない。このスプロケットは、例えば図１に示すように、ステッピングモータ等の駆動手段２２４により伝動ベルト２２５等を介して駆動制御することができ、これにより押出部材２２１は、カード状媒体２ａを押し出すように駆動される。
【００３３】
なお、図１に示す形態は、媒体送り出し機構２２の一例の概略形態であり、必ずしもそれらの形態に限定されるものではない。例えば、チェーン２２２とスプロケット２２３により押出部材２２１を駆動する構成に代えて、押出部材２２１をリードスクリューに取り付けて、駆動させる構成としてもよい。
【００３４】
媒体繰り出し部２１は、カセット式媒体収納容器２５内に収容される複数の媒体２のうち最低位に載置された媒体２ａがカセット式媒体収納容器２５（即ちホッパー２０）の外に繰り出される部分であり、カセット式媒体収納容器２５の下側に設けられたゲート部２３及びその周辺部により構成される。
【００３５】
媒体排出口１０は、媒体発行装置１から最終的に媒体２を排出するゲートであり、装置前面であり且つ装置上部に設けられている。上記のホッパー２０の媒体繰り出し部２１から繰り出された媒体２は、ホッパー２０と媒体排出口１０との間に設けられた情報書き込み装置７０を経由して、媒体排出口１０に搬送される。なお、情報書き込み装置７０は、媒体繰り出し部２１から繰り出された媒体２を媒体排出口１０へ向けて搬送する搬送路３０を有している。この媒体排出口１０は、図１においては媒体発行装置１の上部に設けられているので、その媒体排出口１０の装置内側下方には広いスペースを確保することができる。そのスペースには、後述するように、廃棄すべき使用済み媒体を保管する廃棄媒体保管部５０等を配置することができる。
【００３６】
この媒体排出口１０は、媒体２を新規に発行する場合は文字通り媒体排出口となるが、更新発行や書き換え発行する場合は、所定情報を書き換えるべき使用中の媒体がこの媒体排出口１０から挿入される媒体挿入口としても機能するとともに、所定情報の書き込み又は書き換えを完了した前記媒体を排出する媒体排出口としても機能する。従って、この媒体排出口１０が媒体挿入口及び媒体排出口の両方の機能を有する場合、媒体排出口が媒体の取り込み口としても用いられるので、磁気カードやＩＣカード等の新規発行のみならず、更新発行や書き換え発行用の媒体発行装置として用いられる。
【００３７】
上記の媒体排出口１０には、一般的な媒体排出口ないし挿入口に設けられている各種の機能を付加させてもよく、例えば、図１に示すように、シャッタ１１とシャッタ用ソレノイド１２とを有するシャッタ機構１３を備えていてもよい。また、図示しないが、媒体排出口１０には、挿入される媒体種の情報を予め読み取るプリヘッドを備えていてもよいし、また、挿入される媒体の幅寸法の適否を検査する幅センサ等が設けられていてもよい。
【００３８】
上述したように、媒体排出口１０は装置上部に設けられ、ホッパー２０の媒体繰り出し部２１は装置下方に設けられているので、その間に配置される情報書き込み装置７０は、装置１の枠体の対角線状に設けられている。対角線状に設けられた情報書き込み装置７０は、同じ長さの搬送路が必要な場合、搬送路を水平配置した場合に比してその長さを短くすることができるので、装置全体の大きさ（特に図１における左右方向の長さＬ）を小さくして省スペース化を図ることができる。
【００３９】
媒体排出口１０と情報書き込み装置７０との間には、媒体２を回動させて搬送される方向を切替る第１の媒体回動部８０が設けられ、また、情報書き込み装置７０と媒体繰り出し部２１との間には、媒体２を回動させて搬送される方向を切替る第２の媒体回動部６０とが設けられていることが望ましい。なお、情報書き込み装置７０と媒体排出口１０及び媒体繰り出し部２１との間は、第１及び第２の回動部に代えて、媒体をガイドしてカーブをなす屈曲した搬送路としてもよい。
【００４０】
次に、本発明に係る情報書き込み装置７０について詳しく説明する。
【００４１】
図２は、本発明に係る情報書き込み装置の実施の形態を示す模式的な透視断面図である。また、図３は、図２に示す情報書き込み装置を下方から見たときの図であり、図４は、図２に示す情報書き込み装置の搬送路を上方から見たときの図、すなわち搬送ユニットの平面図であり、図５は、図２に示す情報書き込み装置を上方から見たときの図、すなわちヘッドユニットの平面図である。また、図６は、情報書き込み装置が備える印字ヘッド及び消去ヘッドの押圧持の形態であり、図７は、情報書き込み装置が備える印字ヘッド及び消去ヘッドの待避時の形態である。また、図８は、印字ヘッドと消去ヘッドの押圧持及び待避時の検知機構の説明図であり、偏心カムに取り付けられたスリット板とセンサとの位置関係を示す図である。また、図９は、印字ヘッド及び消去ヘッドを有するヘッドユニットと、搬送路を含む搬送ユニットとを、片持ち状態で分離した形態を示す説明図である。
【００４２】
情報書き込み装置７０は、媒体２に対して所定の文字情報の印字と消去を行なうものであり、図１及び図２に示すように、媒体排出口１０とホッパー２０との間に設けられ、媒体２が搬送される搬送路３０と、媒体２に文字情報を印字する印字ヘッド７１と、媒体２に文字情報を消去する消去ヘッド７２と、媒体２に対して印字ヘッド７１を押圧又は待避させる印字ヘッド駆動装置７４と、媒体２に対して消去ヘッド７２を押圧又は待避させる消去ヘッド駆動装置７３とを少なくとも有している。そして、本発明の情報書き込み装置７０においては、印字ヘッド７１及び印字へッド駆動装置７４を含む印字機構と、消去ヘッド７２及び消去へッド駆動装置７３を含む消去機構とを、搬送路３０の搬送方向前後における中心線に対して対称に配置したことに特徴がある。
【００４３】
情報書き込み装置７０内に設けられる搬送路３０は、ホッパー２０の媒体繰り出し部２１から繰り出された媒体２を媒体排出口１０へ向けて搬送する搬送路である。この搬送路３０は、媒体２の幅よりも若干大きい幅からなり、幅方向に対向して設けられた複数のガイド部材（例えば図３に示す符号３０９，３１０を参照）により搬送される媒体２の幅方向が規制されている。また、搬送路３０の厚さ方向の隙間も、媒体２の厚さよりも若干大きい寸法の隙間からなり、厚さ方向に対向して設けられた複数のガイド部材（例えば図３に示す符号３０１〜３０６及び図４に示す符号４０１〜４０６を参照）により搬送される媒体２の厚さ方向が規制されている。この厚さ方向に対向するガイド部材３０１〜３０６、４０１〜４０６は、図３に示すように、所定の短い幅からなるものが、前記幅方向のガイド部材３０９，３１０に接合して設けられている。なお、幅方向のガイド部材３０９，３１０及び厚さ方向のガイド部材３０１〜３０６、４０１〜４０６のいずれにおいても、図２に示すように、媒体２がスムーズに入り込むことができるように、端部３０７，３０８が若干開口していることが好ましい。また、各方向のガイド部材の数は図示の例に限定されない。
【００４４】
搬送路３０での媒体２の搬送は、媒体２を上下から挟んで所定の方向に搬送する対向した搬送用のローラ（以下、対向ローラともいう）で行われる。具体的には、図２に示すように、第２の媒体回動部６０側から、第１搬送駆動ローラ３１及び第１パッドローラ３１ａ、第２搬送駆動ローラ３２及び第２パッドローラ３２ａ、第３搬送駆動ローラ３３及び第３パッドローラ３３ａ、の３組の対向ローラで媒体２が搬送される。
【００４５】
第１〜第３の搬送駆動ローラ３１，３２，３３はそれぞれ駆動軸３６１，３６２，３６３に固定され、その駆動軸３６１，３６２，３６３はそれぞれのプーリとタイミングベルトを介し、同期回転するように連動する。なお、後述するプラテンローラ３４，３４もこの搬送駆動ローラ３１，３２，３３と同期回転するように連動する。具体的には、図２及び図３に示すように、Ｂ駆動モータ１５０からの駆動力がベルト１５３によってプラテンローラ回転用のプーリ３４２，３４４に伝わり、そのプーリ３４２，３４４にそれぞれ連設されたプーリ３４１，３４３から、第１搬送駆動ローラ用プーリ３１１、第２搬送駆動ローラ用プーリ３２１及び第３搬送駆動ローラ用プーリ３３１に、それぞれのベルト３４５，３４６，３３２を介して駆動力が伝わる。こうしてＢ駆動モータ１５０からの駆動力は、３つの搬送駆動ローラ３１，３２，３３及び２つのプラテンローラ３４，３４に伝わり、しかも、各ローラの直径を同じにすることによって、各対向ローラの搬送速度を同じにし、且つ同期させることができる。なお、図２及び図３に示す符号３５は、アイドラーである。
【００４６】
また、図３に示すように、駆動ローラ３１，３２，３３とプラテンローラ３４，３４との間のピッチを同じ長さとし、プーリ及びベルトを同じものとすることが好ましい。こうした構成とすることにより、媒体への全面印字の際にパッドローラの飛び離れがあっても印字に影響することなく搬送が可能になるという利点がある。
【００４７】
各搬送駆動ローラ３１，３２，３３及びプラテンローラ３４，３４の各回転軸は、４枚の側板３５２，３５３．７６，７６１によって軸受けされている。具体的には、図３に示すように、プラテンローラ３４，３４の各回転軸は、搬送路用のガイド部材が取り付けられた側板７６，３５２には軸受けされず、その外側に配置された側板７６１，３５３に軸受けされている。一方、搬送駆動ローラ３１，３２，３３の各回転軸は、搬送路用のガイド部材が取り付けられた側板３５２と、駆動系が配置された側板７６１に軸受けされている。また、各側板間は、複数の支柱（例えば符号７９２，７９３等）によって連結されている。また、図２中の符号Ｓ３１，Ｓ３２，Ｓ３３は搬送中の媒体２を検知することができるセンサであり、符号３５１は、その端子を示している。
【００４８】
図４は、図２に示す情報書き込み装置７０の搬送路３０を上方から見たときの図である。すなわち、図４は、搬送ユニット３の平面図を示したものであり、印字ヘッド７１や消去ヘッド７２等を有するヘッドユニット４を除いた形態を示している。この形態は、後述の図９に示すように、印字ヘッド７１及び消去ヘッド７２を有するヘッドユニット４を、搬送路３０を含む搬送ユニット３から片持ち状態で分離したときに現れる形態を模式的に示したものであるが、搬送駆動ローラ３１，３２，３３及びプラテンローラ３４，３４は省略している。図４に示すように、搬送路を上方から見ると、搬送駆動ローラ３１，３２，３３に対向する位置に、第１〜第３のパッドローラ３１ａ，３２ａ，３３ａが設けられている。この各パッドローラ３１ａ，３２ａ，３３ａは、それぞれ、軸受けを介して板部材３１４，３２４，３３４に固定され、その板部材３１４，３２４，３３４は、片持ち支柱３１６，３２６，３３６に巻かれたバネ３１５，３２５，３３５に固定されている。その結果、各パッドローラ３１ａ，３２ａ，３３ａは、それぞれ、搬送駆動ローラ３１，３２，３３側に付勢されている。
【００４９】
図５は、図２に示す情報書き込み装置７０を上方から見たときの図であり、印字ヘッド７１と消去ヘッド７２を備えるヘッドユニット４を含み、そのヘッドユニット４の平面形態の説明図である。印字ヘッド７１と消去ヘッド７２は、それぞれがプラテンローラ３４を対向配置し、そのプラテンローラ３４との間に媒体２を挟むようにして、媒体２に文字情報を印字したり、印字されている文字情報を消去したりする。なお、媒体を搬送する対向ローラ３１と３２との間、及び、対向ローラ３２と３３の間は、それぞれ媒体２の搬送方向の長さよりも短い間隔となるように配置され、その間にプラテンローラ３４，３４及び印字ヘッド７１及び消去ヘッド７２が配置されている。そうした間隔で対向ローラを配置することにより、媒体２に印字処理を行う間、媒体２の一部が少なくとも一つの対向ローラに常に狭持されているので、安定した媒体の搬送を行うことができる。ひいては、安定した印字処理を行うことができる。
【００５０】
図５〜図７に示すように、情報書き込み装置７０には、媒体表面に対して印字ヘッド７１を昇降させる印字ヘッド駆動装置７４が設けられ、また、媒体表面に対して消去ヘッド７２を昇降させる消去ヘッド駆動装置７３が設けられている。こうした各ヘッドの駆動装置７３，７４は、媒体２に文字情報を印字することが必要な際又は媒体２に印字された文字情報を消去することが必要な際にそれぞれ独立に作動し、図６に示すように、プラテンローラ３４上の媒体２に接触するまで、印字ヘッド７１又は消去ヘッド７２を降下させる。一方、上記の印字や消去が終了した場合は、図７に示すように、プラテンローラ３４上の媒体２から離れる方向に印字ヘッド７１又は消去ヘッド７２を上昇させる。印字や消去が必要でない場合は、各ヘッドの駆動装置７３，７４は動作せず、印字ヘッド７１又は消去ヘッド７２は搬送路３０から待避した位置に保持される。
【００５１】
印字ヘッド７１は、図２、図５〜図９に示すように、ヘッドホルダ７１１（Ａヘッドホルダ７１１という）に保持され、そのＡヘッドホルダ７１１はＡヘッドレバー７４７に固定されている。Ａヘッドホルダ７１１は、印字ヘッド７１をジンバル構造で保持して、Ａヘッドレバー７４７に固定されている。このジンバル構造は、印字ヘッド７１を媒体２の幅方向Ｒにおいて揺動可能保持するので、媒体２の印字面に対して印字ヘッド７１を良好に追従させることができる。従って、変形した媒体に対しても良好な印字を実現できる。なお、図５に示す符号Ｓは、媒体２の搬送される方向を示している。
【００５２】
Ａヘッドレバー７４７は、印字ヘッド７１を保持する枠体であり、印字ヘッド７１を連結したＡヘッドホルダ７１１がＡヘッドレバー７４７の側板に調整可能に固定されている。Ａヘッドレバー７４７の搬送方向の一端は、図６及び図７に示すように、支点軸７４８に回動可能に取り付けられ、搬送方向の他端は、媒体２に対して印字ヘッド７１を押圧又は待避させる印字ヘッド駆動装置７４に取り付けられている。印字ヘッド駆動装置７４は、独立駆動する駆動モータ７４１を有し、その駆動モータ７４１から２つのギア７４２，７４３を介して偏心カム７４４に駆動力が伝達される。偏心カム７４４が動作すると、偏心カム７４４に連設された連結部材７４６が上下動し、その連結部材７４６に連設（ピボット接続）されたＡヘッドレバー７４７が上下動する。その結果、印字ヘッド７１は、媒体２に対して押圧又は待避することができる。なお、このときのＡヘッドレバー７４７は、支点軸７４８を支点として回動する。
【００５３】
消去ヘッド７２も印字ヘッド７１同様、図２、図５〜図９に示すように、ヘッドホルダ７２１（Ｂヘッドホルダ７２１という）に保持され、そのＢヘッドホルダ７２１はＢヘッドレバー７３７に固定されている。Ｂヘッドホルダ７２１は、消去ヘッド７２をジンバル構造で保持して、Ｂヘッドレバー７３７に固定されている。このジンバル構造は、印字ヘッド７２を媒体２の幅方向Ｒにおいて揺動可能に保持するので、媒体２の文字消去する面（印字面）に対して消去ヘッド７２を良好に追従させることができる。従って、変形した媒体に対しても良好な印字消去を実現できる。
【００５４】
Ｂヘッドレバー７３７は、消去ヘッド７２を保持する枠体であり、消去ヘッド７２を連結したＢヘッドホルダ７２１がＢヘッドレバー７３７の側板に固定されている。Ｂヘッドレバー７３７の搬送方向の一端は、支点軸７３８に回動可能に取り付けられ、搬送方向の他端は、媒体２に対して消去ヘッド７２を押圧又は待避させる消去ヘッド駆動装置７３に取り付けられている。消去ヘッド駆動装置７３は、独立駆動する駆動モータ７３１を有し、その駆動モータ７３１から２つのギア７３２，７３３を介して偏心カム７３４に駆動力が伝達される。偏心カム７３４が動作すると、偏心カム７３４に連設（ピボット接続）された連結部材７３６が上下動し、その連結部材７３６に連設されたＢヘッドレバー７３７が上下動する。その結果、消去ヘッド７２においても、媒体２に対して押圧又は待避することができる。なお、このときのＢヘッドレバー７３７は、支点軸７３８を支点として回動する。
【００５５】
前記の印字ヘッド７１、消去ヘッド７２は、ヘッドレバー７３７，７４７のａ、ｂ（図９参照）を支点として、±５゜程度調整可能とすればよい。なお、ヘッドレバー７３７，７４７及び支点軸７３８，７４８は、それぞれ情報書き込み装置７０の搬送路３０の搬送方向前後おける中心線に対して対称に配置している。
【００５６】
印字ヘッド駆動装置７４及び消去ヘッド駆動装置７３は、媒体２に対して付勢力を伴う押圧手段を備えていることが好ましい。この付勢力は、図２、図５〜図７に示すバネ部材７１４，７２４により実現できる。バネ部材７１４，７２４の一端は、印字ヘッド７１及び消去ヘッド７２の近傍で印字ユニット４の側板７７，７５３にネジ部材で固定されている。一方、バネ部材７１４，７２４の他端は、支点軸７３８，７４８の側で支点軸から離間してヘッドレバー７３７，７４７に固定されている。その結果、各ヘッドを図６に示す押圧状態から図７に示す待避状態にしたとき、バネ部材７１４，７２４は、各ヘッドを媒体側に押圧する方向に付勢する。したがって、図６に示す押圧状態においても、各ヘッドをさらに押圧する方向に付勢するので、例えば、厚さや形状の異なるカードや反り気味のカード等に対して柔軟に対応でき、均一な印字や消去を行なうことができる。
【００５７】
また、上記印字ヘッド７１及び消去ヘッド７２が取り付けられるヘッドレバー７３７，７４７及び駆動装置７３，７４等は、いずれも図５〜図７に示すように、同じ構造の共通の部品であることが好ましい。これにより、部品共通化によるコスト削減が可能であり、また、印字ヘッド７１と消去ヘッド７２の取付位置を任意に交換することも可能となり、設計の変更等が容易となる。特に、ヘッドレバー７３７，７４７を同一形状とし、各ヘッドレバー７３７，７４７の中央位置に印字ヘッド７１及び消去ヘッド７２を配置し、各ヘッドレバー７３７，７４７の一端側の支点軸７３８，７４８を搬送路の前後に対称配置するとともに、支点軸７３８，７４８とは反対の他端側に進出退避の作用点（連結部材７４６，７３６の連接点）を配置したので、印字ヘッド７１と消去ヘッド７２の形状が異なっていても、同形状のヘッドレバーに７３７，７４７配置することができる。また、両方の駆動装置７３，７４の駆動モータはそれぞれ独立であるので、各ヘッドの押圧又は待避のタイミングを自由に調整することができるという利点がある。
【００５８】
また、印字ヘッド駆動装置７４及び消去ヘッド駆動装置７３において、駆動モータ７３１，７４１から偏心カムとの間のギア伝動に代えて、ベルト伝動であっても構わないし、その駆動モータ７３１，７４１もＤＣモータであってもステッピングモータであっても構わない。
【００５９】
図８は、印字ヘッド７１と消去ヘッド７２の押圧持及び待避時の検知機構の説明図であり、偏心カム７３４，７４４に取り付けられたスリット板７３９，７４９と、センサ７３ａ，７３ｂ，７４ａ，７４ｂとの位置関係を示す図である。図示のように、印字機構において、印字ヘッド用の偏心カム７４４の近傍にセンサ７４ａ，７４ｂを設け、偏心カム７４４にセンシングプレート（スリット板７４９）を取り付けておくことにより、印字ヘッド７１が押圧状態であるか待避状態であるかを検知することができる。一方、消去機構においても同様に、消去ヘッド用の偏心カム７３４の近傍にセンサ７３ａ，７３ｂを設け、偏心カム７３４にセンシングプレート（スリット板７３９）を取り付けておくことにより、消去ヘッド７２が押圧状態であるか待避状態であるかを検知することができる。
【００６０】
情報書き込み装置７０において、印字ヘッド駆動装置７４及び消去ヘッド駆動装置７３は、搬送路３０上に、媒体位置検出センサＳ３１，Ｓ３２，Ｓ３３を有していることが望ましい。この媒体位置検出センサＳ３１，Ｓ３２，Ｓ３３は、媒体２が印字ヘッド位置又は消去ヘッド位置に搬送されたときに印字ヘッド７１又は消去ヘッド７２が媒体２に押圧するように、印字ヘッド駆動装置７４及び／又は消去ヘッド駆動装置７３を動作させる信号を送るように設定されている。印字ヘッド駆動装置７４及び消去ヘッド駆動装置７３がこうしたセンサＳ３１，Ｓ３２，Ｓ３３を備えることにより、そのセンサ信号に基づいて各駆動装置７３，７４を単独で動作させることができる。その結果、搬送中の媒体に対する各ヘッド７１，７２の押圧のタイミングをとることが容易で、媒体全面への印字や消去を容易に行なうことができる。センサの具体例としては特に限定されないが、光学式センサであってもよいし近接式センサであってもよい。
【００６１】
図９は、情報書き込み装置７０を、印字ヘッド７１、印字ヘッド駆動装置７４、消去ヘッド７２及び消去ヘッド駆動装置７３を有するヘッドユニット４と、搬送路３０を含む搬送ユニット３とで構成した実施形態を示すものである。図９に示すように、ヘッドユニット４と搬送ユニット３とが対向配置されており、ヘッドユニット４の媒体搬送方向の一端が回動可能に片持ち固定されている。こうした形態からなる情報書き込み装置７０は、搬送路３０内での媒体詰まりが発生した場合等のメンテナンスや、各ヘッドのクリーニング等の作業が容易となるという利点がある。更に、情報書き込み装置７０は、本実施の形態の媒体発行装置１のように搬送路３０が傾斜搬送路を形成するように配置するならば、傾斜した搬送路３０の上側に生じた空きスペースを利用してヘッドユニット４を開閉させることができる。従って、ヘッドユニット４を装置から取り外すことなく十分なメンテナンス空間を確保することができ、メンテナンスが容易になる。
【００６２】
具体的には、図９に示すように、搬送ユニット３は、搬送路３０と、駆動ローラ３１，３２，３３及びそれに対向するパッドローラ３１ａ，３２ａ，３３ａと、プラテンローラ３４，３４とで構成され、その搬送ユニット３は、情報書き込み装置７０が設置される本体シャーシ（４枚の側板３５２，３５３．７６，７６１）に固定されている。そして、印字機構（印字ヘッド駆動装置７４）に対応する駆動ローラ３３、パッドローラ３３ａ、プラテンローラ３４と、消去機構（消去ヘッド駆動装置７３）に対応する駆動ローラ３１、パッドローラ３１ａ、プラテンローラ３４とは、それぞれ情報書き込み装置７０の搬送路３０の搬送方向前後おける中心線に対して、即ち駆動ローラ３２及びパッドローラ３２ａを対称の中心として、対称に配置されている。
【００６３】
一方、ヘッドユニット４は、印字ヘッド７１及び印字ヘッド駆動装置７４を含む印字機構と、消去ヘッド７２及び消去ヘッド駆動装置７３を含む消去機構により構成される。そして、印字機構と消去機構は、これに対応する搬送ユニット３同様に、情報書き込み装置７０の搬送路３０の搬送方向前後おける中心線に対して、対称に配置されている。
【００６４】
このヘッドユニット４は、第２の媒体回動部６０の側の端部に設けられた支点軸７８を中心にした片持ち態様で、Ａ方向に回動可能になっている。支点軸７８の反対側のヘッドユニット４の端部にはロックピン７４８が設けられており、そのロックピン７４８（上記の支点軸７４８と併用してもよい）にロックレバー７９４先端の凹部７９８が係合して、ヘッドユニット４を固定している。ロックレバー７９４の、凹部７９８の反対側の端部には、バネ部材７９５が取り付けられており、そのバネ部材７９５は、凹部７９４がロックピン７４８を付勢する方向に取り付けられている。なお、支点軸７８とロックピン７４８の配置は、図９の場合の逆側であっても構わない。
【００６５】
ロックレバー７９４をロックピン７４８から外してヘッドユニット４を上昇させるためには、ロックレバー７９４をバネ部材７９５の付勢力に抗して移動させる。こうした動作により、ヘッドユニット４を上昇させることができる。このような片持ち固定でヘッドユニット４を上昇させれば、情報書き込み装置７０を装置１から取り外さずに簡便にメンテナンスすることができる。また、図４及び図５において、ヘッドユニット４の開閉検知として、センサ７９をロックレバー７９４の側に設け、ヘッドユニット４がロックピン７４８でロックされた際に側板７７の一部がセンサで検知されるように構成することが好ましい。
【００６６】
また、本発明においては、印字ヘッド７１、消去ヘッド７２及びヘッドユニット４のうちのいずれか１又は２以上が、着脱可能に設けられているように構成してもよい。こうすることにより、印字ヘッド７１や消去ヘッド７２等の部品や情報書き込み装置７０が備える媒体の搬送機構に不具合が生じた場合には、ユニットとして交換することができるという利点がある。具体的には、支点軸７８を駆動ベルト側（図２及び図９を平面視した場合の手前側）に抜くことにより、ヘッドユニット４を取り外すことができ、保守点検や交換が容易となる。
【００６７】
なお、本実施の形態では、情報書き込み装置７０は、感熱式の情報書き込み装置であってもよいし、他の方式の印字装置であってもよい。また、磁気カードリーダやその他の情報リーダライタを、上記印字ヘッド７１や消去ヘッド７２と置き換えたものであってもよい。
【００６８】
以上のように、この情報書き込み装置７０によれば、各駆動装置７３，７４を単独で動作させることができるので、搬送中の媒体２に対する各ヘッド７１，７２の押圧のタイミングをとることが容易であり、媒体全面への印字や消去を容易に行なうことができる。また、各駆動装置７３，７４を単独で動作させることができるので、印字ヘッド７１と消去ヘッド７２の押圧位置を独立して制御可能であり、その結果、厚さや形状の異なるカードや反り気味のカード等に対して均一な印字や消去を行なうことができる。
【００６９】
第１の媒体回動部８０は、図１に示すように、媒体排出口１０と情報書き込み装置７０との間に設けられ、媒体２を回動させてその搬送される方向を切替るように動作する。この第１の媒体回動部８０は、媒体２を保持及び搬送する回動搬送路８１と、回動搬送路８１の両端近傍に設けられた対向ローラ８２，８３と、回動搬送路８１の長手方向の中央位置を軸中心とする回動軸８４とを少なくとも有している。
【００７０】
回動軸８４は、ベルト８６を介して回動軸用モータ８５で回動させることができ、回動搬送路８１の方向を、情報書き込み装置７０内の搬送路３０と一致接続させるように回動させたり、媒体排出口１０に向かうように回動させることができる。また、後述するように、廃棄媒体保管部５０が媒体排出口１０の下側に設けられる場合には、その廃棄媒体搬送部９０の搬送路９１と一致させるように回動させることができる。また、後述のように、磁気媒体リーダライタ１２０が第１の媒体回動部８０の下方に設けられる場合には、その磁気媒体リーダライタ１２０の搬送路１２１と一致させるように回動させることができる。
【００７１】
第１の媒体回動部８０を所定の角度回動させるための回動制御は、各種の方法で行なうことができる。例えばステッピングモータとロータリーエンコーダとで回動制御してもよいし、光電センサと所定形状に作製したポジショニングスリット（遮蔽スリットともいう）とで回動制御してもよい。いずれの場合であっても、情報書き込み装置７０内の搬送路３０と一致させる角度と、媒体排出口１０に向かう搬送路に一致させる角度の、少なくとも２つの角度に精度良く回動させる。また、さらに複数の角度に制御する場合には、それぞれの角度に精度良く回動させる。第１の媒体回動部８０は、右回りに回転させることもできるし左回りに回転させることもできるので、現在の位置から次に回転移動する位置への回転角度が最も小さくなる方向に回転させることが好ましい。そうした回転動作により、媒体２の搬送時間を短縮することができる。さらに、この第１の媒体回動部８０は、回動軸８４を中心にして回動するので、回動角度を少なくとも１８０°以上（３６０°も可能である）に大きくとることができる。
【００７２】
この第１の媒体回動部８０は、（Ａ）情報書き込み装置７０内の搬送路３０から搬送された媒体２を媒体排出口１０に搬送する場合には、第１の媒体回動部８０の搬送路８１を前記搬送路３０と同じ角度に傾斜させておき、その搬送路３０から搬送された媒体２を対向ローラ８２，８３により一旦保持し、次いで所定角度回転して媒体排出口１０側の搬送路１０１と一致させ、次いで第１の媒体回動部８０から対向ローラ８２，８３により媒体２を送り出す。また、（Ｂ）媒体排出口１０から搬送された媒体２を搬送路３０に搬送する場合には、第１の媒体回動部８０の搬送路８１を媒体排出口１０側の搬送路１０１と一致させておき、媒体排出口１０から搬送された媒体２を対向ローラ８２，８３により一旦保持し、次いで所定角度回転して搬送路３０の角度と一致させ、次いで第１の媒体回動部８０から媒体２を送り出す。
【００７３】
第２の媒体回動部６０は、図１に示すように、媒体繰り出し部２１と情報書き込み装置７０との間に設けられ、媒体２を回動させてその搬送される方向を切替るように動作する。この第２の媒体回動部６０は、媒体２を保持及び搬送する回動搬送路６１と、回動搬送路６１の両端近傍に設けられた対向ローラ６２，６３と、回動搬送路６１の長手方向の中央位置を軸中心とする回動軸６４とを少なくとも有している。
【００７４】
回動軸６４は、ベルト６６を介して回動軸用モータ６５で回動させることができ、回動搬送路６１の方向を、情報書き込み装置７０内の搬送路３０と一致接続させるように回動させたり、媒体繰り出し部２１と同じ水平方向に回動させることができる。また、後述するように、クリーニング媒体保持部１１０がこの第２の媒体回動部６０の上側に設けられる場合には、そのクリーニング媒体保持部１１０の搬送路１１１と一致させるように回動させることができる。
【００７５】
第２の媒体回動部６０を所定の角度回動させるための回動制御も上記第１の媒体回動部８０と同様、各種の方法で行なうことができる。例えばステッピングモータとロータリーエンコーダとで回動制御してもよいし、光電センサと所定形状に作製したポジショニングスリット（遮蔽スリットともいう）とで回動制御してもよい。いずれの場合であっても、情報書き込み装置７０内の搬送路３０と一致させる角度と、媒体繰り出し部２１と同じ水平方向の、少なくとも２つの角度に精度良く回動させる。また、さらに他の角度に制御する場合には、その角度に精度良く回動させる。第２の媒体回動部６０は、右回りに回転させることもできるし左回りに回転させることもできるので、現在の位置から次に回転移動する位置への回転角度が最も小さくなる方向に回転させることが好ましい。そうした回転動作により、媒体２の搬送時間を短縮することができる。
【００７６】
この第２の媒体回動部６０は、（Ａ）媒体繰り出し部２１から搬送された媒体２を搬送路３０に搬送する場合には、第２の媒体回動部６０の搬送路６１を媒体繰り出し部２１と同じ水平にし、媒体繰り出し部２１から搬送された媒体２を対向ローラ６２，６３により一旦保持し、次いで所定角度回転して搬送路３０と同じ角度にし、次いで第２の媒体回動部６０から対向ローラ６２，６３により媒体２を搬送路３０に送り出す。また、（Ｂ）搬送路３０から搬送された媒体２を再び搬送路３０に搬送して媒体２に印字したり消去したりする場合には、第２の媒体回動部６０の搬送路６１を搬送路３０の角度と一致させておき、搬送路３０から搬送された媒体２を対向ローラ６２，６３により一旦保持し、第２の媒体回動部６０を回動させることなく再び搬送路３０に送り出す。
【００７７】
媒体発行装置１には、廃棄媒体保管部５０や廃棄媒体搬送部９０を設けることができる。廃棄媒体保管部５０は、図１においては媒体排出口１０の内側下方に設けられ、廃棄すべき使用済み媒体を保管するカセット部材であり、「廃棄媒体保管カセット」ということもできる。
【００７８】
廃棄媒体保管部５０は、上記のホッパー２０と同様、アルミニウム合金製又はステンレス鋼製の枠体であり、媒体発行装置１の一部をなすユニットとして着脱可能に設けられている。この廃棄媒体保管部５０内には、一定期間使用後の媒体で、設定された廃棄時期に至った媒体が投入され廃棄のために収容される。廃棄される媒体２は、図１に示すように、廃棄媒体搬送部９０から廃棄媒体保管部５０に対して斜めの状態で投入されるので、廃棄媒体保管部５０の底面５１もほぼ同じ角度の傾斜形状であることが好ましい。なお、廃棄媒体保管部５０内には、廃棄媒体が投入されたことを確認するセンサ５２が設けられていることが好ましい。センサ５２は、図１に示すような機械式のセンサであってもよいし、光学式のセンサであってもよい。
【００７９】
廃棄媒体搬送部９０は、第１の媒体回動部８０と廃棄媒体保管部５０との間に設けられ、第１の媒体回動部８０から使用済みの媒体を受け取って、廃棄媒体保管部５０に搬送するための部材である。廃棄媒体搬送部９０が有する搬送手段は、情報書き込み装置７０内に設けられているような駆動モータにより駆動する対向ローラ９２である。対向ローラ９２は、後述するＡ駆動モータ１４０により駆動される。その駆動力の伝達は、対向ローラ９２の一方のローラに設けた電磁クラッチ９４により駆動切断及び接続がなされる。
【００８０】
電磁クラッチ９４の作動即ち対向ローラ９２の駆動タイミングの制御は、搬送路９１の両端に設けられた媒体２の位置を検知するセンサ９５、９６が検知した媒体２の位置に基づき行われるようになっている。即ち、センサ９６が媒体２を検知した場合に第１の媒体回動部８０から搬送路９１への取り込みが開始され、センサ９５及び９６の両方が検知した場合に搬送路９１内の媒体２の存在（一時保留）が検知され、センサ９６のみによる検知から完全に検知されなくなった場合に廃棄媒体保管部５０への媒体２の投入が判断される。なお、センサ９５は媒体２のレバーへの接触を検知するレバー式検知センサであり、センサ９６は媒体２による遮光を検知するフォトセンサであることが好ましいが、その他の方法で検知するセンサであってもよい。
【００８１】
また、その廃棄媒体搬送部９０の対向ローラ９２から廃棄媒体保管部５０側には、徐電ブラシ９３が設けられていることが好ましい。その徐電ブラシ９３は、廃棄媒体の静電気を除去して、廃棄媒体が廃棄媒体保管部５０内の壁面に張り付いたり縦になってしまうのを防ぐことができるので、廃棄媒体を整然と積み重ねることができる。さらにレバー式検知センサ９５のレバーは廃棄媒体の後端を上方から下方に押すように機能するので、除電された廃棄媒体を廃棄媒体保管部５０内の壁面に張り付いたり縦方向に立たせること無く整然と重ねることができるように作用する。
【００８２】
非接触通信部１００は、媒体排出口１０の内側に設けられ、所定情報の読み取り、書き込み又は書換えのために媒体２に対して非接触の通信処理を行なう部材である。非接触通信部１００が設けられていることにより、非接触ＩＣカードに対しても適用することができる。この非接触通信部１００は、媒体排出口１０から挿入された媒体２を搬送する搬送路１０１を有し、さらに、その搬送路１０１の長手方向の両端近傍には媒体を挟んで搬送する対向ローラ１０２，１０３が設けられている。搬送路１０１の中央の一面側（図１において上側）には、非接触での通信を行なうアンテナ部１０４が設けられている。このアンテナ部１０４は、非接触ＩＣカードとの間で情報通信を行なうことができ、非接触ＩＣカードに情報の送受を行なう。なお、図１に示すように、必要に応じて、媒体２の有無を検知しアンテナ部１０４との通信の信頼性を確保したり、又は媒体２の表裏の方向を検知したりするための目的でセンサ１０５が設けられていてもよい。
【００８３】
磁気媒体リーダライタ１２０は、第１の媒体回動部８０の下に設けられていてもよい。この磁気媒体リーダライタ１２０は、媒体２が有する所定情報が磁気データである場合に、第１の媒体回動部８０から媒体２を受け取って磁気データの読み取り又は書き込み行なう。また、この磁気媒体リーダライタ１２０を第１の媒体回動部８０の下に設ける代わりに、第２の媒体回動部６０の上に設けてもよい。磁気媒体リーダライタ１２０は、第１の媒体回動部８０又は第２の媒体回動部６０から媒体２を受け取る搬送路１２１と、磁気データを媒体２から読み取る磁気ヘッド１２２を有している。さらに、その磁気媒体リーダライタ１２０には、媒体２を搬送する対向ローラ１２３が設けられている。対向ローラ１２３は、後述するＡ駆動モータ１４０により駆動される。その駆動力の伝達は、対向ローラ１２３の一方のローラに設けた電磁クラッチ１２４により駆動切断及び接続がなされる。
【００８４】
クリーニング媒体保持部１１０は、図１に示すように、第２の媒体回動部６０の上方に設けられていてもよい。クリーニング媒体保持部１１０は、情報書き込み装置が有する印字ヘッド７１や消去ヘッド７２をクリーニングするためのクリーニング媒体１１４を収容し、そのクリーニング媒体１１４を第２の媒体回動部６０との間で授受可能に保持する。そして、クリーニング媒体１１４は、第２の媒体回動部６０から情報書き込み装置７０へ搬送され、印字ヘッド７１や消去ヘッド７２のクリーニングを行なう。
【００８５】
クリーニング媒体保持部１１０は、第２の媒体回動部６０との間でクリーニング媒体１１４を接受する搬送路１１１と、クリーニング媒体１１４を搬送する対向ローラ１１２が設けられている。対向ローラ１１２は、後述するＢ駆動モータ１５０により駆動される。その駆動力の伝達は、対向ローラ１１２の一方のローラに設けた電磁クラッチ１１３により駆動切断及び接続がなされる。搬送路１１１の両端にはセンサ１１５，１１６が設けられており、クリーニング媒体１１４の保持および送り出しの状況が検知及び制御される。こうしたクリーニング媒体保持部１１０が収容するクリーニング媒体１１４により、情報書き込み装置７０の印字ヘッド７１や消去ヘッド７２を定期的又は任意のタイミングでクリーニングすることができる。
【００８６】
電源部１３０は、図１に示すように、第１の媒体回動部８０の下方及び情報書き込み装置７０の下方のスペースに設けることができる。この電源部１３０は、ユニットとしてワンタッチで着脱可能なように媒体発行装置１に取り付けられていることが好ましい。
【００８７】
（駆動システム）
図１０は、本発明の情報書き込み装置を備えた媒体発行装置の駆動方式の一例を示す透視側面図である。この媒体発行装置１においては、図１０に示すように、主に２つの駆動モータ（Ａ駆動モータ１４０とＢ駆動モータ１５０）により駆動させている。なお、この媒体発行装置１及び駆動システムは例示であって、本発明に係る情報書き込み装置７０が装着される媒体発行装置として限定されるものではない。
【００８８】
Ａ駆動モータ１４０は、複数のベルトやプーリが組み合わされて、例えば図１０に示すように、一時保留部である廃棄媒体搬送部９０、第１の媒体回動部８０、及び非接触通信部１００の各搬送用の対向ローラを駆動して、媒体の搬送を行なう。
【００８９】
廃棄媒体搬送部９０における媒体２の搬送を行なうＡ駆動モータ１４０の駆動力は、ベルト１４３を介してプーリ１４１に伝わる。さらに、プーリ１４１の回転駆動は、それに連接されたギア１４２により廃棄媒体搬送部９０の対向ローラ９２に伝わりこれを駆動させる。そして、対向ローラ９２への駆動力の伝達が電磁クラッチ９４によって接続（電磁クラッチ９４がＯＮ状態）又は切断（電磁クラッチ９４がＯＦＦ状態）されることにより、廃棄すべき媒体を一時的に保持する一時保留部である廃棄媒体搬送部９０における媒体の保持、第１の媒体回動部８０への媒体の戻し、又は、廃棄媒体保管部５０への媒体の送り等が行われる。
【００９０】
また、プーリ１４１にかけられた他のベルト１４４は、第１の媒体回動部８０の回動軸８４と同軸に回転自在に取り付けられた搬送駆動プーリ１４５と非接触通信部１００の搬送用の対向ローラ１０３と同軸配置したプーリに掛け渡されている。
【００９１】
そして、非接触通信部１００を駆動するＡ駆動モータ１４０の駆動力は、対向ローラ１０３と同軸配置したプーリにより対向ローラ１０３及び対向ローラ１０３とベルトにより連結されて同期回転する対向ローラ１０２に伝達される。非接触通信部１００は、対向ローラ１０２及び１０３によって媒体２を第１の媒体回動部８０側に搬送したり、媒体排出口１０側に搬送したりする。
【００９２】
次に、プーリ１４１にかけられたベルト１４４により第１の媒体回動部８０の搬送駆動プーリ１４５に伝達されたＡ駆動モータ１４０の駆動力は、第１の媒体回動部８０における媒体２の搬送を行なう。即ち、搬送駆動プーリ１４５の回転は、ギア１４６を介して対向ローラ８２を回転させ、さらにその対向ローラ８２は、ベルトとプーリを介して他の対向ローラ８３を回転させる。このように第１の媒体回動部８０は、Ａ駆動モータ１４０の駆動力によって、第１の媒体回動部８０の対向ローラ８２，８３を駆動して、媒体２を第１の媒体回動部８０内に保持したり、情報書き込み装置７０、非接触通信部１００及び廃棄媒体保管部５０との間で媒体の搬送等を行なう。
【００９３】
さらに、第１の媒体回動部８０の回動は、その回動軸８４にベルト８６を介して駆動力を送る回動軸用モータ８５により行われる。このとき、回動軸８４と同軸に回転自在に取り付けられた搬送駆動プーリ１４５は、図１０に示すように、対向ローラ８２にギア１４６で連結しているとともにベルト１４４により回転が規制されているので、第１の媒体回動部８０を回動させると、搬送駆動プーリ１４５に対してギア１４６が相対的に回転して対向ローラ８２及び８３が回転して搬送路８１内で保持された媒体２に対して搬送力が作用する。そこで、駆動モータ８５による第１の媒体回動部８０の回動に合わせて、上記の搬送力の作用をキャンセルする方向に媒体２を搬送するようにＡ駆動モータ１４０が搬送駆動プーリ１４５を駆動する。
【００９４】
Ｂ駆動モータ１５０もＡ駆動モータ１４０と同様、複数のベルトやプーリが組み合わされて、例えば図１０に示すように、情報書き込み装置７０、第２の媒体回動部６０、及びクリーニング媒体保持部１１０の各搬送用の対向ローラを駆動して、媒体の搬送を行なう。具体的には、Ｂ駆動モータ１５０の駆動力は、ベルト１５３を介してプーリ１５１，１５２に伝わり、そのプーリ１５１，１５２が備えるプーリに同軸状に連接したプラテンローラ３４，３４を回転させるとともに、そのプラテンローラ３４，３４からベルトを介して媒体搬送用の対向ローラ３１，３２，３３を回転させる。こうした回転により、情報書き込み装置７０内での媒体の搬送等が行われる。
【００９５】
次に、Ｂ駆動モータ１５０の駆動力は、媒体搬送用の対向ローラ３１と同軸状に連接したプーリにかけられた他のベルト１５６を介してクリーニング媒体保持部１１０のプーリ１５４に伝わり、そのプーリ１５４に連接されたギア１５７によりクリーニング媒体保持部１１０の対抗ローラ１１２を駆動させる。そして、電磁クラッチ１１３が切断（ＯＦＦ状態）されている場合は、クリーニング媒体保持部１１０におけるクリーニング媒体の保持がなされ、電磁クラッチ１１３が接続（ＯＮ状態）されている場合には、Ｂ駆動モータ１５０の回転に応じて、第２の媒体回動部６０との間でのクリーニング媒体１１４の授受が行われる。
【００９６】
さらに、Ｂ駆動モータ１５０の駆動力は、媒体搬送用の対向ローラ３１と同軸状に連接したプーリにかけられた他のベルト１５６を介して、第２の媒体回動部６０の搬送駆動プーリ１５５を回転させる。この搬送駆動プーリ１５５は、図示しないギアやベルトとプーリを介して対向ローラ６３を回転させ、さらにその対向ローラ６３は、図示しないベルトとプーリを介して他の対向ローラ６２を回転させる。このように、Ｂ駆動モータ１５０の駆動力は、第２の媒体回動部６０の対向ローラ６２，６３を駆動して、媒体２及びクリーニング媒体１１４を第２の媒体回動部６０内に保持したり、情報書き込み装置７０との間でやり取りしたり、新規発行される媒体２を媒体繰り出し部２１から受け取ったりする。また、クリーニング媒体保持部１１０との間でのクリーニング媒体１１４の授受も行われる。
【００９７】
さらに、第２の媒体回動部６０の回動は、その回動軸６４にベルト６６を介して駆動力を送る回動軸用モータ６５により行われる。このとき、回動軸６４と同軸に回転自在に取り付けられた搬送駆動プーリ１５５は、第１の媒体回動部８０の搬送駆動プーリ１４５同様に、対向ローラ６２等にギア等で連結しているとともにベルト１５６により回転が規制されているので、第２の媒体回動部６０を回動させると、搬送駆動プーリ１５５に対する相対回転により対向ローラ６２及び６３が回転して搬送路６１内で保持された媒体２（又はクリーニング媒体１１４）に対して搬送力が作用する。そこで、駆動モータ６５による第２の媒体回動部６０の回動に合わせて、上記の搬送力の作用をキャンセルする方向に媒体２（又はクリーニング媒体１１４）を搬送するようにＢ駆動モータ１５０が搬送駆動プーリ１５５を駆動する。
【００９８】
以上のように、媒体２の搬送用の駆動モータを用いることにより、媒体の更新発行のように、古い媒体と新しい媒体とを装置内で独立に搬送することができるので、処理時間を短縮することができるとともに、ベルトやプーリ等の削減も可能になるので、小型化と低コストかを実現できる。なお、図１及び図１０においては、Ａ駆動モータ１４０とＢ駆動モータ１５０の２つを主に用いているが、一つの駆動モータで構成してもよい。なお、一つの駆動モータで構成する場合は、機械的なクラッチ等で設けることが好ましい。
【００９９】
（媒体発行方法）
次に、新規発行の動作について説明する。媒体２の新規発行は、ホッパー２０内に積層された媒体２のうち最低位の媒体２ａを押出部材２２１の爪部にて繰り出して、第２の媒体回動部６０内に搬送した後、第２の媒体回動部６０を搬送路３０と同じ角度に回動させて媒体の搬送方向を切替る。次に、第２の媒体回動部６０から搬送路３０上に配置された情報書き込み装置７０内に搬送し、情報書き込み装置７０が備える印字ヘッド７１により媒体表面に所定の情報が印字される。このときの印字ヘッド７１は、印字ヘッド駆動モータ７４により媒体表面に接触するまで下降し、媒体表面に接触した状態で印字する。印字が終了した後は、印字ヘッド駆動モータ７４により印字ヘッド７１を元の位置に上昇する。その後、媒体２は、搬送路３０と同じ角度に回動した状態で待機している第１の媒体回動部８０に搬送される。媒体２を受け取った第１の媒体回動部８０は、媒体２を非接触通信部１００に搬送するために水平方向になるまで回動し、その後、非接触通信部１００に搬送する。この非接触通信部１００においては、アンテナ部１０４と媒体２との間の非接触通信によって媒体２に内蔵されているＩＣに所定の情報が格納記憶され、最後に、媒体排出口１０に媒体２が送られて利用者の手に渡る。なお、必要により、非接触通信部１００による処理の前に、第１の媒体回動部８０から一旦分岐して、磁気媒体リーダライタ１２０による磁気データの記録処理が行なわれてもよい。
【０１００】
次に、書き換え発行の動作について説明する。書き換え発行は、媒体排出口１０に使用中の媒体２が挿入されると、媒体排出口１０が備える幅センサ（図示しない）がカード状媒体２を検知し、シャッタ１１を開けて非接触通信部１００に搬送される。非接触通信部１００では、媒体２に内蔵されているＩＣとの間で所定の情報の読み取り及び書き込みが非接触通信により実行され、その後非接触通信部１００と同じ水平に保持された第１の媒体回動部８０に搬送される。媒体２を受け取った第１の媒体回動部８０は、搬送路３０と同じ角度まで回動した後、情報書き込み装置７０内に媒体２を搬送し、その後、搬送路３０と同じ角度まで回動させておいた第２の媒体回動部６０まで媒体２を搬送する。その第２の媒体回動部６０から、装置上位からの指示で再度情報書き込み装置７０内に搬送し、先ず、消去ヘッド７２で今までの印字データを消去し、引き続いて、印字ヘッド７１で新しい情報を印字する。印字した後は、第１の媒体回動部８０、非接触通信部１００を経由して、媒体排出口１０から利用者の手に返却される。なお、この場合も、必要により、非接触通信部１００による処理の後に、磁気媒体リーダライタ１２０による磁気データの記録処理が行なわれてもよい。
【０１０１】
次に、更新発行の動作について説明する。更新発行（使用可能期限となった媒体を廃棄し、新たに媒体を発行することをいう）は、媒体排出口１０に使用中の媒体２が挿入されると、媒体排出口１０が備える幅センサがカード状媒体２を検知し、シャッタ１１を開けて非接触通信部１００に搬送される。非接触通信部１００では、媒体２に対する非接触通信による所定の情報の読み取りみが実行され、この通信結果に基づき更新発行とすることが決定されると、更新のため読み取られた所定の情報は上位装置等に一時保存される。そして、更新される媒体２は非接触通信部１００と同じ水平に保持された第１の媒体回動部８０に搬送される。第１の媒体回動部８０に取り込まれた媒体２は、搬送路３０には搬送されず、第１の媒体回動部８０を逆回転により、斜め下方に配置された一時保留部としての廃棄媒体搬送部９０に搬送され、廃棄処理待ちの媒体として保持される。次に、上記の新規発行と同じ手順で新しい媒体２が発行される。この新しい媒体２が第１の媒体回動部８０を経由して、非接触通信部１００に搬送されそこで、上位装置等に一時保存された情報が新しい媒体２に対して書き込まれる。そして、この書き込みが確認され、又は媒体排出口１０から利用者の手に新たな媒体２が渡ったことが確認された時点で、一時保留部である廃棄媒体搬送部９０に保持された廃棄処理待ちの使用済み媒体２は、更にその斜め下方の廃棄媒体保管部５０に除電ブラシ９３で除電されて投入される。
【０１０２】
次に、媒体廃棄の動作について説明する。廃棄媒体保管部５０への媒体２の投入（廃棄）は、廃棄媒体搬送部９０を経由して行われる。媒体排出口１０から投入された媒体２は、すぐ後ろ（装置１の内部側）に配置された非接触通信部１００により、又は、第１の媒体回動部８０を経由して送られた磁気媒体リーダライタ１２０により、情報が読み取られて廃棄媒体であるかが判断される。非接触通信部１００により廃棄媒体であることが読み取られた場合、その廃棄媒体は、第１の媒体回動部８０に搬送され、そこで保持されつつ廃棄媒体搬送部９０の角度と同じになるまで第１の媒体回動部８０が回転する。次いで、第１の媒体回動部８０から廃棄媒体搬送部９０に廃棄媒体が搬送される。一方、磁気媒体リーダライタ１００により廃棄媒体であることが読み取られた場合、その廃棄媒体は、第１の媒体回動部８０に戻され、そこで保持されつつ廃棄媒体搬送部９０の角度と同じになるまで第１の媒体回動部８０が回転する。次いで、第１の媒体回動部８０から廃棄媒体搬送部９０に廃棄媒体が搬送される。
【０１０３】
このとき、廃棄媒体搬送部９０に搬送された廃棄媒体は、そこで保持されずに廃棄媒体保管部５０に投入されてもよいが、好ましくは新規の媒体を発行するまで、すなわち新規媒体がホッパー２０から発行され、情報書き込み装置７０で印字され、非接触通信部１００で情報通信が完了したのを確認するまで保持されることが好ましい。そして、新規媒体への情報通信が完了したのを確認し、新規媒体２が発行されてから、廃棄媒体を、一時保留部としての廃棄媒体搬送部９０から廃棄媒体保管部５０に投入することが好ましい。こうした方式をとることにより、新規媒体２を更新発行する場合に、情報書き込み等を確実に行ったのを確認した後に今までの非接触ＩＣカードを廃棄することができ、その結果、非接触ＩＣカードの更新発行においても、迅速且つ確実な処理を行なうことができる。
【０１０４】
以上説明したように、本発明の情報書き込み装置によれば、印字ヘッドと消去ヘッドを独立に駆動でき、且つメンテナンスし易いようにそれらの着脱を可能にした情報書き込み装置を提供することができる。また、本発明の媒体発行装置によれば、カード全面への印字や消去を容易にし、且つメンテナンス等の作業が容易であるとともに、磁気カードやＩＣカード等の新規発行や更新発行、さらには書き換え発行を行なうことができる、省スペース対応の媒体発行装置とすることができる。
【図面の簡単な説明】
【０１０５】
【図１】本発明の媒体発行装置の一例を示す透視側面図である。
【図２】本発明に係る情報書き込み装置の実施の形態を示す模式的な透視断面図である。
【図３】図２に示す情報書き込み装置を下方から見たときの図である。
【図４】図２に示す情報書き込み装置の搬送路を上方から見たときの図（搬送ユニットの平面図）である。
【図５】図２に示す情報書き込み装置を上方から見たときの図（ヘッドユニットの平面図）である。
【図６】情報書き込み装置が備える印字ヘッド及び消去ヘッドの押圧持の形態である。
【図７】情報書き込み装置が備える印字ヘッド及び消去ヘッドの待避時の形態である。
【図８】印字ヘッドと消去ヘッドの押圧持及び待避時の検知機構の説明図であり、偏心カムに取り付けられたスリット板とセンサとの位置関係を示す図である。
【図９】印字ヘッド及び消去ヘッドを有するヘッドユニットと搬送路を含む搬送ユニットとを片持ち状態で分離した形態を示す説明図である。
【図１０】本発明の媒体発行装置の駆動方式の一例を示す透視側面図である。
【符号の説明】
【０１０６】
１  媒体発行装置
２，２ａ  媒体
１０  媒体排出口
１１  シャッタ
１２  シャッタ用ソレノイド
１３  シャッタ機構
２０  ホッパー
２１  媒体繰り出し部
２２  媒体送り出し機構
２２１  押出部材
２２２  チェーン
２２３  スプロケット
２２４  駆動手段
２２５  伝動ベルト
２３  ゲート部
２４  シャッタ
２５  カセット式媒体収納容器
２６  おもり
２７  最上位部
３  搬送ユニット
３０  搬送路
３１，３２，３３  対向ローラ
３４  プラテンローラ
４  ヘッドユニット
５０  廃棄媒体保管部（リジェクトカセット）
５１  底面
５２  センサ
６０  第２の媒体回動部
６１  搬送路
６２，６３  対向ローラ
６４  回動軸
６５  回動軸用モータ
７０  情報書き込み装置
７１  印字ヘッド
７１１  Ａヘッドホルダ
７２  消去ヘッド
７２１  Ｂヘッドホルダ
７３  消去ヘッド駆動モータ
７３７  Ｂヘッドレバー
７４  印字ヘッド駆動モータ
７４７  Ａヘッドレバー
８０  第１の媒体回動部
８１  搬送路
８２，８３  対向ローラ
８４  回動軸
８５  回動軸用モータ
８６  ベルト
９０  廃棄媒体搬送部
９１  搬送路
９２  対向ローラ
９３  徐電ブラシ
９４  電磁クラッチ
９５  レバー部材（センサ）
９６  センサ
１００  非接触通信部
１０１  搬送路
１０２，１０３  対向ローラ
１０４  アンテナ部
１０５  センサ
１１０  クリーニング媒体保持部
１１１  搬送路
１１２  対向ローラ
１１３  電磁クラッチ
１１４  クリーニング媒体
１１５,１１６  センサ
１２０  磁気媒体リーダライタ
１２１  搬送路
１２２  磁気ヘッド
１２３  対向ローラ
１２４  電磁クラッチ
１３０  電源部
１４０  Ａ駆動モータ
１４１  プーリ
１４２  ギア
１４３，１４４  ベルト
１４５  搬送駆動プーリ
１４６  ギア
１５０  Ｂ駆動モータ
１５１，１５２，１５４  プーリ
１５３，１５６  ベルト
１５５  搬送駆動プーリ
１５７  ギア
【図１】
0004813950.tif 000002
【図２】
0004813950.tif 000003
【図３】
0004813950.tif 000004
【図４】
0004813950.tif 000005
【図５】
0004813950.tif 000006
【図６】
0004813950.tif 000007
【図７】
0004813950.tif 000008
【図８】
0004813950.tif 000009
【図９】
0004813950.tif 000010
【図１０】
0004813950.tif 000011